(57)【要約】  本発明は、回転吐出式染色剤容器に関し、回転体の回転の時に、ポンピングガイド部材が昇降することにより、第１ポンピング部材及び第２ポンピング部材のポンピング作動が行われ、染毛剤及び酸化剤が吐出するように構成されることにより、少ない力でも高粘度の内容物を吐出して使用することができる。
2018505714.tif 000002
【特許請求の範囲】
【請求項１】
染毛剤及び酸化剤をそれぞれ貯蔵した状態で並んで位置し、染毛剤及び酸化剤の使用によって容積が減る第１容器及び第２容器と、
前記第１容器及び第２容器の上部にそれぞれ結合し、ポンピング作動を介して、前記第１容器及び第２容器に貯蔵した内容物を吐出する第１ポンピング部材及び第２ポンピング部材と、
前記第１容器及び第２容器の上部を包んで結合し、前記第１ポンピング部材及び第２ポンピング部材を前記第１容器及び第２容器に固定するポンプ固定体と、
前記ポンプ固定体に回転可能に結合し、内周面に沿って傾斜面を形成する回転ガイドを具備する回転体と、
前記第１ポンピング部材及び第２ポンピング部材の上部に結合し、前記回転体の回転による昇降することにより、前記第１ポンピング部材及び第２ポンピング部材のポンピング作動を誘導し、前記第１容器及び第２容器に貯蔵した染毛剤及び酸化剤を同時に吐出し、前記第１ポンピング部材及び第２ポンピング部材から吐出される染毛剤及び酸化剤を上部に移動させる第１移動管及び第２移動管と、前記第１移動管及び第２移動管とそれぞれ連通し、前記第１移動管及び第２移動管を介して移動する染毛剤及び酸化剤を外部に吐出する第１吐出管及び第２吐出管と、を含むポンピングガイド部材と、
前記回転体の上部に結合し、染毛剤及び酸化剤がそれぞれ吐出するように、第１吐出ホール及び第２吐出ホールが形成され、前記第１吐出ホール及び第２吐出ホールを通って吐出する染毛剤及び酸化剤を混合する空間が形成されるように中央部が陥没し形成され、前記第１吐出管及び第２吐出管の内側に挿入され、前記第１吐出管及び第２吐出管を介して上部に移動する染毛剤及び酸化剤が、前記第１吐出ホール及び第２吐出ホールに移動するように案内する第１案内管及び第２案内管を具備する混合部と、を含み、
前記ポンプ固定体には、前記ポンピングガイド部材の垂直移動をガイドするように、垂直ガイド溝が形成され、前記ポンピングガイド部材の外周面には、前記垂直ガイド溝に挿入された状態で、前記回転ガイドの下面に沿って移動し、前記垂直ガイド溝内で昇降するガイド突起を具備することを特徴とする回転吐出式染色剤容器。
【請求項２】
前記回転ガイドの傾斜面両端には、前記ガイド突起の回転を制限するための制限突起を具備し、傾斜面の上死点には前記ガイド突起が上昇した状態で、前記ガイド突起を固定するための固定突起を具備することを特徴とする、請求項１に記載の回転吐出式染色剤容器。
【請求項３】
前記混合部には、前記第１ポンピング部材及び第２ポンピング部材のポンピング作動有無によって、前記第１吐出ホール及び第２吐出ホールを開閉する第１ノズルチップ及び第２ノズルチップを具備することを特徴とする、請求項１に記載の回転吐出式染色剤容器。
【発明の詳細な説明】
【技術分野】
【０００１】
本発明は、回転吐出式染色剤容器に関し、より詳細には、回転体の回転の時に、ポンピングガイド部材が昇降することによって、第１ポンピング部材及び第２ポンピング部材のポンピング作動が行われ、染毛剤及び酸化剤を吐出するように構成することにより、少ない力でも高粘度の内容物を吐出し、使用することができる回転吐出式染色剤容器に関する。
【背景技術】
【０００２】
一般的に容器の内容物の中には、使用の時に一緒に混合する場合、シナジー効果を誘発する内容物があるが、初めから混合して同一の容器に一緒に収容する場合に、物理、化学的な反応による凝固、沈殿によって排出不良が発生するとか、内容物の変色または変質の憂慮があるために、別途の容器に混合する二つの内容物を分離して収容してから、使用の時に一緒に混合して使用している。
【０００３】
例えば、毛髪の染色のためには、第１液である染毛剤と第２液である酸化剤を混合して使用し、これらの染毛剤及び酸化剤は、混合した状態で保管する場合に、変質が発生するので、染毛剤容器及び酸化剤容器にそれぞれ保管し、染色の時にユーザーがこれらを別途の混合容器に入れ、混合して使用するように構成される。
【０００４】
しかし、前記のように染毛剤容器及び酸化剤の容器に、染毛剤及び酸化剤をそれぞれ保管し、ユーザーがこれらを別々の混合容器に入れて混合する場合には、混合過程が煩わしくて、ユーザーに不便さをもたらす問題があった。
【０００５】
この問題点を解消するために、最近には、染毛剤及び酸化剤を一つの容器本体内にそれぞれ分離し貯蔵してから、ボタン部の操作によるポンピング部材のポンピング作用を介して、染毛剤及び酸化剤をそれぞれ吐出するとか、同時に吐出して使用できる染色剤容器が提案されている。
【０００６】
しかし、染毛剤及び酸化剤のような内容物は、高粘度で成され、粘度が高い内容物の場合に、ボタン部を加圧して内容物を吐出するためには、比較的大きな力を入れて押さなければならないので、ユーザーに不便さをもたらす問題がある。
【発明の概要】
【発明が解決しようとする課題】
【０００７】
本発明は、上述した問題点を解決するために創作されたもので、本発明の目的は、回転体の回転の時に、ポンピングガイド部材の昇降により、第１ポンピング部材及び第２ポンピング部材のポンピング作動が行われ、染毛剤及び酸化剤を吐出するように構成されることにより、少ない力でも高粘度の内容物を吐出して使用することができる回転吐出式染色剤容器を提供する。
【課題を解決するための手段】
【０００８】
前記のような問題点を解決するために、本発明に係る回転吐出式染色剤容器は、染毛剤及び酸化剤がそれぞれ貯蔵した状態で並んで位置し、染毛剤及び酸化剤の使用によって容積が減少する第１容器及び第２容器と、
前記第１容器及び第２容器の上部にそれぞれ結合し、ポンピング作動を介して、前記第１容器及び第２容器に貯蔵した内容物を吐出する第１ポンピング部材及び第２ポンピング部材と、
前記第１容器及び第２容器の上部を包んで結合し、前記第１ポンピング部材及び第２ポンピング部材を第１容器及び第２容器に固定するポンプ固定体と、
前記ポンプ固定体に回転可能に結合し、内周面に沿って傾斜面を形成する回転ガイドを具備する回転体と、
前記第１ポンピング部材及び第２ポンピング部材の上部に結合し、前記回転体の回転による昇降することにより、前記第１ポンピング部材及び第２ポンピング部材のポンピング作動を誘導し、前記第１容器及び第２容器に貯蔵した染毛剤及び酸化剤を同時に吐出するポンピングガイド部材と、を含み、
前記ポンプ固定体は、前記ポンピングガイド部材の垂直移動をガイドするように垂直ガイド溝が形成され、前記ポンピングガイド部材の外周面には、前記垂直ガイド溝に挿入された状態で、前記回転ガイドの下面に沿って移動し、前記垂直ガイド溝内で昇降するガイド突起を具備することを特徴とする。
【０００９】
また、前記ポンピングガイド部材は、前記第１ポンピング部材及び第２ポンピング部材の上部にそれぞれ結合し、第１ポンピング部材及び第２ポンピング部材から吐出する染毛剤及び酸化剤を上部に移動させる第１移動管及び第２移動管と、前記第１移動管及び第２移動管とそれぞれ連通し、前記第１移動管及び第２移動管を介して移動する染毛剤及び酸化剤を外部に吐出する第１吐出管及び第２吐出管をさらに含むことを特徴とする。
【００１０】
また、前記回転ガイドの傾斜面両端には、前記ガイド突起の回転を制限するための制限突起を具備し、傾斜面の上死点にはガイド突起が上昇した状態で、ガイド突起を固定させるための固定突起を具備することを特徴とする。
【００１１】
また、前記回転体の上部に結合し、染毛剤及び酸化剤をそれぞれ吐出するように、第１吐出ホール及び第２吐出ホールが形成され、前記第１吐出ホール及び第２吐出ホールを通って吐出する染毛剤及び酸化剤を混合するスペースが形成されるように、中央部が陥没し形成される混合部をさらに含むことを特徴とする。
【００１２】
また、前記混合部には、前記第１吐出管及び第２吐出管の内側に挿入され、前記第１吐出管及び第２吐出管を介して上部に移動する染毛剤及び酸化剤が、前記第１吐出ホール及び第２吐出ホールに移動するように案内する第１案内管及び第２案内管を具備することを特徴とする。
【００１３】
また、前記混合部には、前記第１ポンピング部材及び第２ポンピング部材のポンピング作動有無によって、前記第１吐出ホール及び第２吐出ホールを開閉する第１ノズルチップ及び第２ノズルチップを具備することを特徴とする。
【発明の効果】
【００１４】
以上のように、本発明によれば、回転体の回転の時に、ポンピングガイド部材が昇降することにより、第１ポンピング部材及び第２ポンピング部材のポンピング作動が行われ、染毛剤及び酸化剤が吐出するように構成されることにより、少ない力でも高粘度の内容物を吐出して使用することができるという長所がある。
【００１５】
また、回転体の上部に中央部が陥没し形成される混合部を具備し、染毛剤及び酸化剤を混合部に吐出させ、ユーザーがこれを混合部内で混合して使用できるという長所がある。
【図面の簡単な説明】
【００１６】
【図１】本発明の好ましい実施例に係る回転吐出式染色剤容器の構成を示す分解斜視図である。
【図２】本発明の好ましい実施例に係る回転吐出式染色剤容器の構成を示す組立斜視図である。
【図３】本発明の好ましい実施例に係る回転吐出式染色剤容器の構成を示す組立断面図である。
【図４】本発明の好ましい実施例に係る回転吐出式染色剤容器の使用方法を示す説明図である。
【図５】本発明の好ましい実施例に係る回転吐出式染色剤容器の使用方法を示す説明図である。
【図６】本発明の他の実施例に係る回転吐出式染色剤容器の構成を示す組立断面図である。
【発明を実施するための形態】
【００１７】
以下、図面を参照し、本発明を詳細に説明する。各図面に提示された同一の参照符号は、同一の部材を示す。
【００１８】
図１は、本発明の好ましい実施例に係る回転吐出式染色剤容器の構成を示す分解斜視図であり、図２は、本発明の好ましい実施例に係る回転吐出式染色剤容器の構成を示す組立斜視図であり、図３は、本発明の好ましい実施例に係る回転吐出式染色剤容器の構成を示す組立断面図である。
【００１９】
図１〜３を参照すると、本発明の好ましい実施例に係る回転吐出式染色剤容器は、第１容器及び第２容器１００、１００’、第１ポンピング部材及び第２ポンピング部材２００、２００’、ポンプ固定体３００、回転体４００、並びにポンピングガイド部材５００を含む。
【００２０】
第１容器及び第２容器１００，１００’は、染毛剤及び酸化剤をそれぞれ貯蔵するものであり、染毛剤及び酸化剤がそれぞれ貯蔵した状態で並んで位置するように構成され、内容物の使用によって吸着されるブロー容器または、内容物の使用によって上昇するピストンを具備するディスペンサー容器など、内容物の使用によって容積が減る多様な容器で構成することができる。
【００２１】
一方、第１容器及び第２容器１００，１００’の上部と下部には、第１容器及び第２容器１００，１００’が吸着され変形する時に、第１容器及び第２容器１００，１００’の上部と下部をそれぞれ支持するように、第１支持体７００及び第２支持体７５０を具備することが好ましい。
【００２２】
第１ポンピング部材及び第２ポンピング部材２００、２００’は、第１容器及び第２容器１００，１００’の上部にそれぞれ結合し、回転体４００の回転によるポンピング作動を介して、第１容器及び第２容器１００，１００’に貯蔵した染毛剤及び酸化剤を同時に吐出するものであり、内側下端に第１チェックバルブ及び第２チェックバルブ２１１、２１１’を具備する第１シリンダー及び第２シリンダー２１０、２１０’と、一側は、後述するポンピングガイド部材５００に結合し、他側は、第１シリンダー及び第２シリンダー２１０、２１０’の内側に位置し、ポンピングガイド部材５００の上下移動によって、一緒に動く第１ステム及び第２ステム２２０、２２０’と、第１ステム及び第２ステム２２０、２２０’の下部に結合する第１ピストンロッド及び第２ピストンロッド２３０、２３０’と、第１ピストンロッド及び第２ピストンロッド２３０、２３０’の下部から第１ピストンロッド及び第２ピストンロッド２３０、２３０’の外周面を包んで結合し、第１シリンダー及び第２シリンダー２１０、２１０’の内壁に沿って移動する第１シルキャップ及び第２シルキャップ２４０、２４０’と、第１ステム及び第２ステム２２０、２２０’の周囲を包んで結合し、ポンピングガイド部材５００の反復的なポンピングができるように上方向に弾性力を提供する第１スプリング及び第２スプリング２５０、２５０’とで構成される。
【００２３】
ポンプ固定体３００は、第１容器及び第２容器１００，１００’の上部を包んで結合し、第１ポンピング部材及び第２ポンピング部材２００、２００’を第１容器及び第２容器１００，１００’に固定させる。
【００２４】
本発明において、ポンプ固定体３００の外周縁には、後述するガイド突起５１０が挿入され、ポンピングガイド部材５００の垂直移動をガイドするように、長さ方向に沿って垂直ガイド溝３１０が形成される特徴があり、垂直ガイド溝３１０は、ポンピングガイド部材５００の安定的な作動のために、図１に示すように、約１２０°の間隔で３つが、一定の間隔に離間し形成されることが好ましい。
【００２５】
本発明では、垂直ガイド溝３１０が、約１２０°の間隔で３つが一定の間隔に離間し形成されることを示したが、簡単に両側に２つを形成するなど、多様な実施例が可能である。
【００２６】
回転体４００は、ポンプ固定体３００に回転可能に結合し、回転によってポンピングガイド部材５００を昇降させるものである。本発明において、回転体４００の内側には、内周面に沿って傾斜面４１１が形成された回転ガイド４１０を具備することが特徴である。
【００２７】
回転ガイド４１０の下面には、後記するガイド突起５１０が位置し、回転体４００の回転の時に、回転ガイド４１０の下面がガイド突起５１０を加圧することにより、傾斜面４１１が形成された回転ガイド４１０の形状により、ガイド突起５１０が移動することによって、ポンピングガイド部材５００の昇降が行われる。
【００２８】
回転ガイド４１０の傾斜面４１１両端には、ガイド突起５１０の回転を制限するための制限突起４１２を具備し、傾斜面４１１の上死点にガイド突起５１０が上昇した状態で、ガイド突起５１０を固定するための固定突起４１３を具備する。
【００２９】
一方、回転体４００の上部には、染毛剤及び酸化剤を混合する空間が形成されるように、中央部が陥没し形成される混合部６００を結合することが特徴であり、混合部６００には、染毛剤及び酸化剤をそれぞれ吐出するように、第１吐出ホール及び第２吐出ホール６１０、６１０’が形成され、第１ポンピング部材及び第２ポンピング部材２００、２００’のポンピング作動有無によって、第１吐出ホール及び第２吐出ホール６１０、６１０’を開閉する第１,２ノズルチップ６３０、６３０’を具備する。
【００３０】
また、混合部６００には、第１吐出管及び第２吐出管５３０、５３０’の内側に挿入され、第１吐出管及び第２吐出管５３０、５３０’を介して上部に移動する染毛剤及び酸化剤が、第１吐出ホール及び第２吐出ホール６１０、６１０’に移動するように案内する、第１案内管及び第２案内管６２０、６２０’を具備し、第１案内管及び第２案内管６２０、６２０’の下部は、第１案内管及び第２案内管６２０、６２０’の外壁と第１吐出管及び第２吐出管５３０、５３０’の内壁の間に、内容物が移動することを防止するように、第１吐出管及び第２吐出管５３０、５３０’の内壁に密着するピストン形状で形成されることが好ましい。
【００３１】
ポンピングガイド部材５００は、第１ポンピング部材及び第２ポンピング部材２００、２００’の上部に結合し、回転体４００の回転によって昇降することにより、第１ポンピング部材及び第２ポンピング部材２００、２００’のポンピング作動を誘導し、前記第１容器及び第２容器１００，１００’に貯蔵した染毛剤及び酸化剤を同時に吐出するものであり、本発明において、ポンピングガイド部材５００の外周面には、前記垂直ガイド溝３１０に挿入された状態で、回転ガイド４１０の下面に沿って移動し、前記垂直ガイド溝３１０内で昇降するガイド突起５１０を具備することが特徴である。
【００３２】
ガイド突起５１０は、回転ガイド４１０の下面に沿って移動するように構成されることにより、回転体４００が回転する時に、回転ガイド４１０の形状によって上下に移動する。これにより、ポンピングガイド部材５００の昇降が行われることによって、第１ポンピング部材及び第２ポンピング部材２００、２００’のポンピング作動を誘導する。
【００３３】
また、ポンピングガイド部材５００は、第１ポンピング部材及び第２ポンピング部材２００、２００’の上部にそれぞれ結合し、第１ポンピング部材及び第２ポンピング部材から吐出される染毛剤及び酸化剤を混合部６００に移送するように構成される。そのために、第１ステム及び第２ステム２２０、２２０’に結合し、第１ステム及び第２ステム２２０、２２０’を介して吐出される内容物が、上部に移動する空間を形成する第１移動管及び第２移動管５２０、５２０’と、第１移動管及び第２移動管５２０、５２０’と、それぞれ連通し、第１移動管及び第２移動管５２０、５２０’を介して移送される染毛剤及び酸化剤を、混合部６００の第１吐出ホール及び第２吐出ホール６１０、６１０’に吐出する第１吐出管及び第２吐出管５３０、５３０’で構成される。
【００３４】
以下では、図４及び図５を参照し、本発明の好ましい実施例に係る回転吐出式染色剤容器の使用方法を説明する。図４及び図５は、本発明の好ましい実施例に係る回転吐出式染色剤容器の使用方法を示す説明図である。
【００３５】
図４及び図５を参照すると、第１容器及び第２容器１００，１００’を把持した状態で、回転体４００を回転させれば、ポンピングガイド部材５００のガイド突起５１０が、回転体４００の回転ガイド４１０の下面によって加圧され、昇降が行われる。このとき、ポンプ固定体３００の垂直ガイド溝３１０によってガイド突起５１０の垂直移動がガイドされる。
【００３６】
前記したように、ガイド突起５１０が垂直移動すると、ポンピングガイド部材５００の昇降により、第１ポンピング部材及び第２ポンピング部材２００、２００’のポンピング作動が行われる。これにより、第１容器及び第２容器１００，１００’にそれぞれ貯蔵した染毛剤及び酸化剤が、第１シリンダー及び第２シリンダー２１０、２１０’の内部に流入し、第１シリンダー及び第２シリンダー２１０、２１０’に流入した染毛剤及び酸化剤が、第１移動管及び第２移動管５２０、５２０’と第１吐出管及び第２吐出管５３０、５３０’を経て、第１吐出ホール及び第２吐出ホール６１０、６１０’を通って混合部６００の上端に吐出する。
【００３７】
前記したように、混合部６００の上端に染毛剤及び酸化剤の吐出が行われると、ユーザーは混合部６００内で染毛剤及び酸化剤を直接混合して使用する。
【００３８】
以下、図６を参照し、本発明の他の実施例に係る回転吐出式染色剤容器を説明する。図６は、本発明の他の実施例に係る回転吐出式染色剤容器の構成を示す断面図である。
【００３９】
図６を参照すると、本発明の他の実施例に係る回転吐出式染色剤容器は、回転体４００の上部に混合部６００が存在しないで、染毛剤及び酸化剤を外部に吐出するノズル部８００を結合することが特徴であり、ノズル部８００の第１,第２のノズル管８１０、８１０’を介して、別途の混合容器に染毛剤及び酸化剤を吐出した後、これらを混合して使用できるように構成される。
【００４０】
一方、ノズル部８００には、開閉するオーバーキャップ９００を着脱可能に結合する。
【００４１】
その他、残りの構成設定は、本発明の好ましい実施例で前記したように、その構造及び機能が同一であるため、詳細な説明は省略する。
【００４２】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018505714.tif 000003
【図２】
2018505714.tif 000004
【図３】
2018505714.tif 000005
【図４】
2018505714.tif 000006
【図５】
2018505714.tif 000007
【図６】
2018505714.tif 000008
【国際調査報告】
2018505714.tif 000009
2018505714.tif 000010
2018505714.tif 000011
2018505714.tif 000012